【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
表面移動する感光体と、
該感光体の表面を目標帯電電位となるように一様に帯電する帯電手段と、
該帯電手段により帯電された感光体表面部分に書込光を照射して静電潜像を形成する潜像形成手段と、
該静電潜像にトナーを付着させることで現像する現像手段と、
該感光体の表面と被転写材との間に転写電界を形成するための転写部材に転写バイアスを印加して、該現像手段の現像により得たトナー像を該転写電界の作用により該被転写材上に転写する転写手段と、
転写後の感光体表面部分に除電光を照射して該感光体表面部分を除電する光除電手段とを備えた画像形成装置において、
所定の転写バイアス切替条件に従って、上記転写手段の転写部材に印加する転写バイアスを切り替える転写バイアス切替手段と、
該転写バイアス切替手段が転写バイアスを切り替えたとき、その切替時に転写領域に位置していた感光体表面上の箇所が上記光除電手段による光照射領域に到達するタイミングで、該光除電手段が照射する除電光量を切替後の転写バイアスに応じた除電光量に変更する除電光量変更手段とを有することを特徴とする画像形成装置。
【請求項２】
請求項１の画像形成装置において、
上記除電光量変更手段は、上記切替後の転写バイアスが切替前の転写バイアスよりも小さいときには除電光量が大きくなるように変更し、上記切替後の転写バイアスが切替前の転写バイアスよりも大きいときには除電光量が小さくなるように変更することを特徴とする画像形成装置。
【請求項３】
請求項１又は２の画像形成装置において、
所定の帯電電位変更条件に従って、上記目標帯電電位を変更する目標帯電電位変更手段を有し、
上記除電光量変更手段は、該目標帯電電位変更手段が該目標帯電電位を変更したとき、その変更により帯電電位が変化した感光体表面部分の感光体表面移動方向先端部が上記光除電手段による光照射領域に到達するタイミングで、該光除電手段が照射する除電光量を変更後の目標帯電電位に応じた除電光量に変更することを特徴とする画像形成装置。
【請求項４】
請求項１乃至３のいずれか１項に記載の画像形成装置において、
所定の速度切替条件に従って、上記感光体の表面移動速度を切り替える速度切替手段を有し、
上記除電光量変更手段は、該速度切替手段が該感光体の表面移動速度を切り替えたタイミングで、上記光除電手段が照射する除電光量を変更後の感光体表面移動速度に応じた除電光量に変更することを特徴とする画像形成装置。
【請求項５】
請求項１乃至４のいずれか１項に記載の画像形成装置において、
少なくとも上記感光体と上記帯電手段と上記現像手段と上記光除電手段とを複数備えており、
上記除電光量変更手段は、各光除電手段が照射する除電光量を光除電手段ごとに個別変更可能な構成であることを特徴とする画像形成装置。
【請求項６】
請求項１乃至５のいずれか１項に記載の画像形成装置において、
上記被転写材として、上記感光体の表面上のトナー像を表面に担持して表面移動する中間転写体を備え、
該中間転写体の表面に担持されたトナー像を更に他の被転写材へ転写する二次転写手段を備えていることを特徴とする画像形成装置。
【請求項７】
請求項１乃至６のいずれか１項に記載の画像形成装置において、
上記感光体は、表面に保護層を備えた有機感光体であることを特徴とする画像形成装置。
【請求項８】
請求項１乃至７のいずれか１項に記載の画像形成装置において、
上記光除電手段は、電流が入力されることで除電光を照射するものであって、入力される電流量に応じて照射する除電光の光量が変化するものであり、
上記除電光量変更手段は、該光除電手段に入力する電流量を調整して除電光量に変更することを特徴とする画像形成装置。
【請求項９】
請求項１乃至７のいずれか１項に記載の画像形成装置において、
上記光除電手段は、電圧が入力されることで除電光を照射するものであり、
上記除電光量変更手段は、該光除電手段に入力する電圧をパルス幅変調することで除電光量に変更することを特徴とする画像形成装置。
【請求項１０】
請求項１乃至９のいずれか１項に記載の画像形成装置において、
上記除電光量変更手段が除電光量を変更する際に用いる転写バイアスは、転写電流であることを特徴とする画像形成装置。
【請求項１１】
請求項１乃至１０のいずれか１項に記載の画像形成装置において、
転写バイアスと除電光量との関係を記憶する記憶手段を有し、
上記除電光量変更手段は、上記切替後の転写バイアスに対応する除電光量を該記憶手段に記憶された関係から特定し、特定した除電光量に変更することを特徴とする画像形成装置。
【手続補正２】
【補正対象書類名】明細書
【補正対象項目名】０００８
【補正方法】変更
【補正の内容】
【０００８】
上記目的を達成するために、請求項１の発明は、表面移動する感光体と、該感光体の表面を目標帯電電位となるように一様に帯電する帯電手段と、該帯電手段により帯電された感光体表面部分に書込光を照射して静電潜像を形成する潜像形成手段と、該静電潜像にトナーを付着させることで現像する現像手段と、該感光体の表面と被転写材との間に転写電界を形成するための転写部材に転写バイアスを印加して、該現像手段の現像により得たトナー像を該転写電界の作用により該被転写材上に転写する転写手段と、転写後の感光体表面部分に除電光を照射して該感光体表面部分を除電する光除電手段とを備えた画像形成装置において、所定の転写バイアス切替条件に従って、上記転写手段の転写部材に印加する転写バイアスを切り替える転写バイアス切替手段と、該転写バイアス切替手段が転写バイアスを切り替えたとき、その切替時に転写領域に位置していた感光体表面上の箇所が上記光除電手段による光照射領域に到達するタイミングで、該光除電手段が照射する除電光量を切替後の転写バイアスに応じた除電光量に変更する除電光量変更手段とを有することを特徴とするものである。
また、請求項２の発明は、請求項１の画像形成装置において、上記除電光量変更手段は、上記切替後の転写バイアスが切替前の転写バイアスよりも小さいときには除電光量が大きくなるように変更し、上記切替後の転写バイアスが切替前の転写バイアスよりも大きいときには除電光量が小さくなるように変更することを特徴とするものである。
また、請求項３の発明は、請求項１又は２の画像形成装置において、所定の帯電電位変更条件に従って、上記目標帯電電位を変更する目標帯電電位変更手段を有し、上記除電光量変更手段は、該目標帯電電位変更手段が該目標帯電電位を変更したとき、その変更により帯電電位が変化した感光体表面部分の感光体表面移動方向先端部が上記光除電手段による光照射領域に到達するタイミングで、該光除電手段が照射する除電光量を変更後の目標帯電電位に応じた除電光量に変更することを特徴とするものである。
また、請求項４の発明は、請求項１乃至３のいずれか１項に記載の画像形成装置において、所定の速度切替条件に従って、上記感光体の表面移動速度を切り替える速度切替手段を有し、上記除電光量変更手段は、該速度切替手段が該感光体の表面移動速度を切り替えたタイミングで、上記光除電手段が照射する除電光量を変更後の感光体表面移動速度に応じた除電光量に変更することを特徴とするものである。
また、請求項５の発明は、請求項１乃至４のいずれか１項に記載の画像形成装置において、少なくとも上記感光体と上記帯電手段と上記現像手段と上記光除電手段とを複数備えており、上記除電光量変更手段は、各光除電手段が照射する除電光量を光除電手段ごとに個別変更可能な構成であることを特徴とするものである。
また、請求項６の発明は、請求項１乃至５のいずれか１項に記載の画像形成装置において、上記被転写材として、上記感光体の表面上のトナー像を表面に担持して表面移動する中間転写体を備え、該中間転写体の表面に担持されたトナー像を更に他の被転写材へ転写する二次転写手段を備えていることを特徴とするものである。
また、請求項７の発明は、請求項１乃至６のいずれか１項に記載の画像形成装置において、上記感光体は、表面に保護層を備えた有機感光体であることを特徴とするものである。
また、請求項８の発明は、請求項１乃至７のいずれか１項に記載の画像形成装置において、上記光除電手段は、電流が入力されることで除電光を照射するものであって、入力される電流量に応じて照射する除電光の光量が変化するものであり、上記除電光量変更手段は、該光除電手段に入力する電流量を調整して除電光量に変更することを特徴とするものである。
また、請求項９の発明は、請求項１乃至７のいずれか１項に記載の画像形成装置において、上記光除電手段は、電圧が入力されることで除電光を照射するものであり、上記除電光量変更手段は、該光除電手段に入力する電圧をパルス幅変調することで除電光量に変更することを特徴とするものである。
また、請求項１０の発明は、請求項１乃至９のいずれか１項に記載の画像形成装置において、上記除電光量変更手段が除電光量を変更する際に用いる転写バイアスは、転写電流であることを特徴とするものである。
また、請求項１１の発明は、請求項１乃至１０のいずれか１項に記載の画像形成装置において、転写バイアスと除電光量との関係を記憶する記憶手段を有し、上記除電光量変更手段は、上記切替後の転写バイアスに対応する除電光量を該記憶手段に記憶された関係から特定し、特定した除電光量に変更することを特徴とするものである。